【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
第１波長を中心波長とした第１波長分布であって、当該第１波長分布に７００ｎｍから７８０ｎｍの範囲内または３８０ｎｍから４００ｎｍの範囲内、のいずれか一方の可視光成分を含む第１光を発光する第１ＬＥＤと、
第２波長を中心波長とした第２波長分布であって、当該第２波長分布に、
前記第１光が７００ｎｍから７８０ｎｍの範囲内の波長のいずれかを含む場合は７００ｎｍから７８０ｎｍの範囲内のいずれかを、あるいは、
前記第１光が３８０ｎｍから４００ｎｍの範囲内の波長のいずれかを含む場合は３８０ｎｍから４００ｎｍの範囲内のいずれかの
可視光成分を含む第２光を発光する第２ＬＥＤと、
を備える、光源装置。
【請求項２】
前記第１光を発光させる第１発光時間を、前記第２光を発光させる第２発光時間よりも短くし、かつ、
前記第１ＬＥＤに印加する第１電流値を、前記第２ＬＥＤに印加する第２電流値よりも大きくすることで、
前記第１光の単位時間あたりの第１発光強度を、前記第２光の単位時間あたりの第２発光強度よりも大きくして、前記第１光及び前記第２光を交互に発光させる制御部を更に備えることを特徴とする、
請求項１に記載の光源装置。
【請求項３】
前記制御部は、前記第１光及び前記第２光を交互に発光させた場合に、
前記第２光に含まれる前記可視光成分の光量が、前記第１光に含まれる前記可視光成分の光量と略同一になる様に、
前記第２波長分布、または前記第２電流値を制御する請求項２に記載の光源装置。
【請求項４】
前記第１ＬＥＤは、前記第１波長が近赤外波長であり、前記第１波長分布に前記可視光成分となる７００ｎｍから７８０ｎｍの波長を含む前記第１光を発光し、
前記第２ＬＥＤは、前記第２波長が７００ｎｍから７８０ｎｍの範囲内の前記第２光を発光する、請求項１ないし請求項3の何れか一項に記載の光源装置。
【請求項５】
第１波長を中心波長とした第１波長分布であって、当該第１波長分布に７００ｎｍから７８０ｎｍの範囲内または３８０ｎｍから４００ｎｍの範囲内、のいずれか一方の可視光成分を含む第１光を、第１ＬＥＤが発光し、
第２波長を中心波長とした第２波長分布であって、当該第２波長分布に、
前記第１光が７００ｎｍから７８０ｎｍの範囲内の波長のいずれかを含む場合は７００ｎｍから７８０ｎｍの範囲内のいずれかを、あるいは、
前記第１光が３８０ｎｍから４００ｎｍの範囲内の波長のいずれかを含む場合は３８０ｎｍから４００ｎｍの範囲内のいずれかの
可視光成分を含む第２光を、第２ＬＥＤが発光する
発光方法。
【請求項６】
第１波長を中心波長とした第１波長分布であって、当該第１波長分布に７００ｎｍから７８０ｎｍの範囲内または３８０ｎｍから４００ｎｍの範囲内、のいずれか一方の可視光成分を含む第１光を発光する第１ＬＥＤと、
第２波長を中心波長とした第２波長分布であって、当該第２波長分布に、
前記第１光が７００ｎｍから７８０ｎｍの範囲内の波長のいずれかを含む場合は７００ｎｍから７８０ｎｍの範囲内のいずれかを、あるいは、
前記第１光が３８０ｎｍから４００ｎｍの範囲内の波長のいずれかを含む場合は３８０ｎｍから４００ｎｍの範囲内のいずれかの
可視光成分を含む第２光を発光する第２ＬＥＤ
を有する光源制御部と、
前記第１ＬＥＤの発光に同期して露光するカメラ
を備える、端末装置。
【手続補正２】
【補正対象書類名】明細書
【補正対象項目名】０００５
【補正方法】変更
【補正の内容】
【０００５】
本開示の一局面によれば、第１波長を中心波長とした第１波長分布であって、当該第１波長分布に７００ｎｍから７８０ｎｍの範囲内または３８０ｎｍから４００ｎｍの範囲内、のいずれか一方の可視光成分を含む第１光を発光する第１ＬＥＤと、
第２波長を中心波長とした第２波長分布であって、当該第２波長分布に、前記第１光が７００ｎｍから７８０ｎｍの範囲内の波長のいずれかを含む場合は７００ｎｍから７８０ｎｍの範囲内のいずれかを、あるいは、前記第１光が３８０ｎｍから４００ｎｍの範囲内の波長のいずれかを含む場合は３８０ｎｍから４００ｎｍの範囲内のいずれかの可視光成分を含む第２光を発光する第２ＬＥＤとを備える、光源装置が提供される。
【手続補正３】
【補正対象書類名】明細書
【補正対象項目名】００８３
【補正方法】変更
【補正の内容】
【００８３】
なお、以上の実施例に関し、さらに以下の付記を開示する。
（付記１）
第１波長を中心波長とした第１波長分布であって、当該第１波長分布に７００ｎｍから７８０ｎｍの範囲内または３８０ｎｍから４００ｎｍの範囲内、のいずれか一方の可視光成分を含む第１光を発光する第１ＬＥＤと、
第２波長を中心波長とした第２波長分布であって、当該第２波長分布に、
前記第１光が７００ｎｍから７８０ｎｍの範囲内の波長のいずれかを含む場合は７００ｎｍから７８０ｎｍの範囲内のいずれかを、あるいは、
前記第１光が３８０ｎｍから４００ｎｍの範囲内の波長のいずれかを含む場合は３８０ｎｍから４００ｎｍの範囲内のいずれかの
可視光成分を含む第２光を発光する第２ＬＥＤと、
を備える、光源装置。
（付記２）
前記第１光を発光させる第１発光時間を、前記第２光を発光させる第２発光時間よりも短くし、かつ、
前記第１ＬＥＤに印加する第１電流値を、前記第２ＬＥＤに印加する第２電流値よりも大きくすることで、
前記第１光の単位時間あたりの第１発光強度を、前記第２光の単位時間あたりの第２発光強度よりも大きくして、前記第１光及び前記第２光を交互に発光させる制御部を更に備えることを特徴とする、
付記１に記載の光源装置。
（付記３）
前記制御部は、前記第１光及び前記第２光を交互に発光させた場合に、
前記第２光に含まれる前記可視光成分の光量が、前記第１光に含まれる前記可視光成分の光量と略同一になる様に、
前記第２波長分布、または前記第２電流値を制御する付記２に記載の光源装置。
（付記４）
前記第１ＬＥＤは、前記第１波長が近赤外波長であり、前記第１波長分布に前記可視光成分となる７００ｎｍから７８０ｎｍの波長を含む前記第１光を発光し、
前記第２ＬＥＤは、前記第２波長が７００ｎｍから７８０ｎｍの範囲内の前記第２光を発光する、付記１ないし付記3の何れか一項に記載の光源装置。
（付記５）
第１波長を中心波長とした波長の分布で、波長の分布に７００ｎｍから７８０ｎｍの範囲内及び３８０ｎｍから４００ｎｍの範囲内、のいずれかの可視光成分を含む光を発する第１ＬＥＤと、
前記第１波長と異なる第２波長を中心波長とした波長の分布で、波長の分布に前記第１ＬＥＤが７００ｎｍから７８０ｎｍの範囲内の波長のいずれかを含む場合は７００ｎｍから７８０ｎｍの範囲内のいずれかの可視光成分を、あるいは、前記第１ＬＥＤが３８０ｎｍから４００ｎｍの範囲内の波長のいずれかを含む場合は３８０ｎｍから４００ｎｍの範囲内のいずれかの可視光成分を含む光を発する第２ＬＥＤとを、それぞれの可視光成分の光量が略同一になるように発光させる、ＬＥＤ制御装置。
（付記６）
前記第１ＬＥＤ及び前記第２ＬＥＤを交互に発光させる、付記５に記載のＬＥＤ制御装置。
（付記７）
前記第１ＬＥＤは、前記第１波長が近赤外波長であり、波長の分布に７００ｎｍから７８０ｎｍの波長を含む光を発し、
前記第２ＬＥＤは、前記第２波長が７００ｎｍから７８０ｎｍの範囲内である、付記５に記載のＬＥＤ制御装置。
（付記８）
第１波長を中心波長とした波長の分布で、波長の分布に７００ｎｍから７８０ｎｍの範囲内及び３８０ｎｍから４００ｎｍの範囲内、のいずれかの可視光成分を含む光を発する第１ＬＥＤと、
前記第１波長と異なる第２波長を中心波長とした波長の分布で、波長の分布に前記第１ＬＥＤが７００ｎｍから７８０ｎｍの範囲内の波長のいずれかを含む場合は７００ｎｍから７８０ｎｍの範囲内のいずれかの可視光成分を、あるいは、前記第１ＬＥＤが３８０ｎｍから４００ｎｍの範囲内の波長のいずれかを含む場合は３８０ｎｍから４００ｎｍの範囲内のいずれかの可視光成分を含む光を発する第２ＬＥＤと、
前記第１ＬＥＤ及び前記第２ＬＥＤを、それぞれの可視光成分の光量が略同一になるように発光させるＬＥＤ制御装置と、
前記第１ＬＥＤの発光に同期して露光するカメラとを含む、端末装置。
（付記９）
前記ＬＥＤ制御装置は、前記第１ＬＥＤ及び前記第２ＬＥＤを交互に発光させる、付記８に記載の端末装置。
（付記１０）
前記第１ＬＥＤは、発光する光の主たる波長が近赤外波長であり、
前記第２ＬＥＤは、発光する光の主たる波長が７００ｎｍから７８０ｎｍの範囲内の可視光波長である、付記８又は９に記載の端末装置。
（付記１１）
近赤外ＬＥＤと、
発光する光の主たる波長が７００ｎｍから７８０ｎｍの範囲内の可視光赤色ＬＥＤと、
前記近赤外ＬＥＤを点滅させると共に、少なくとも前記近赤外ＬＥＤの非発光時に前記可視光赤色ＬＥＤを発光させる制御装置と、
ユーザの目を撮影するカメラと、
前記近赤外ＬＥＤの発光時に前記カメラにより捕捉された画像に基づいて、前記ユーザの視線方向を検出する画像処理装置とを含む、視線検出装置。
（付記１２）
近赤外ＬＥＤと、
発光する光の主たる波長が７００ｎｍから７８０ｎｍの範囲内の可視光赤色ＬＥＤと、
前記近赤外ＬＥＤを点滅させると共に、少なくとも前記近赤外ＬＥＤの非発光時に前記可視光赤色ＬＥＤを発光させる制御装置と、
前記近赤外ＬＥＤの発光に同期して露光するカメラとを含む、近赤外線画像取得装置。
（付記１３）
紫外線ＬＥＤと、
発光する光の主たる波長が３８０ｎｍから４００ｎｍの範囲内の可視光紫色ＬＥＤと、
前記紫外線ＬＥＤを点滅させると共に、少なくとも前記紫外線ＬＥＤの非発光時に前記可視光紫色ＬＥＤを発光させる制御装置と、
前記紫外線ＬＥＤの発光に同期して露光するカメラとを含む、近紫外線画像取得装置。
（付記１４）
第１波長を中心波長とした第１波長分布であって、当該第１波長分布に７００ｎｍから７８０ｎｍの範囲内または３８０ｎｍから４００ｎｍの範囲内、のいずれか一方の可視光成分を含む第１光を、第１ＬＥＤが発光し、
第２波長を中心波長とした第２波長分布であって、当該第２波長分布に、
前記第１光が７００ｎｍから７８０ｎｍの範囲内の波長のいずれかを含む場合は７００ｎｍから７８０ｎｍの範囲内のいずれかを、あるいは、
前記第１光が３８０ｎｍから４００ｎｍの範囲内の波長のいずれかを含む場合は３８０ｎｍから４００ｎｍの範囲内のいずれかの
可視光成分を含む第２光を、第２ＬＥＤが発光する
発光方法。
（付記１５）
第１波長を中心波長とした第１波長分布であって、当該第１波長分布に７００ｎｍから７８０ｎｍの範囲内または３８０ｎｍから４００ｎｍの範囲内、のいずれか一方の可視光成分を含む第１光を発光する第１ＬＥＤと、
第２波長を中心波長とした第２波長分布であって、当該第２波長分布に、
前記第１光が７００ｎｍから７８０ｎｍの範囲内の波長のいずれかを含む場合は７００ｎｍから７８０ｎｍの範囲内のいずれかを、あるいは、
前記第１光が３８０ｎｍから４００ｎｍの範囲内の波長のいずれかを含む場合は３８０ｎｍから４００ｎｍの範囲内のいずれかの
可視光成分を含む第２光を発光する第２ＬＥＤ
を有する光源制御部と、
前記第１ＬＥＤの発光に同期して露光するカメラ
を備える、端末装置。